(57)【要約】  【課題】  課金処理と決済処理が可能で使い勝手性の良い移動型情報端末と通信システムの技術を提供する。  【解決手段】  サーバとの間で通信を行う移動型情報端末として、第１の周波数信号による一般用の通信と第２の周波数信号による課金処理用の通信とが可能な構成とし、該第２の周波数信号をゲート装置から受信したとき、該第２の周波数信号による課金演算用情報を記憶し、該記憶した課金演算用情報を、該移動型情報端末のユーザの識別情報とともにサーバ側に送信する構成とする。サーバは、これを受信して、課金演算や、遮断機への該移動型情報端末の通過許否情報の送信などを行う。【選択図】  図１
2005301815.tif 000002
【特許請求の範囲】
【請求項１】
サーバとの間で通信を行う移動型情報端末であって、
第１の周波数信号による通信と第２の周波数信号による通信とを行う通信手段と、
ユーザの識別情報と受信した上記第２の周波数信号による課金演算用情報とを記憶する記憶手段と、
上記通信手段と上記記憶手段を制御する制御手段と、
を備え、上記第２の周波数信号による上記課金演算用情報を受信して記憶した後、上記第１の周波数信号を受信したとき、該記憶した課金演算用情報と上記識別情報とを上記サーバ側に送信し、該サーバ側で該移動型情報端末に対する課金演算を行える構成としたことを特徴とする移動型情報端末。
【請求項２】
上記通信手段は、上記第１の周波数信号で通話またはメールを含む一般の通信を行う構成である請求項１に記載の移動型情報端末。
【請求項３】
移動型情報端末との間で通信が可能なサーバであって、
基地局を介し上記移動型情報端末からの情報を受信する手段と、
上記移動型情報端末から上記移動型情報端末のユーザの識別情報を受信したとき、該識別情報に基づき、課金処理の可否判別処理、課金演算処理、該課金演算処理の結果による料金情報の上記ユーザ側への送信処理、または該識別情報で指定される機器への上記移動型情報端末の通過許否情報の送信処理を行う手段と、
を備えた構成を特徴とするサーバ。
【請求項４】
ゲート装置と移動型情報端末とサーバとを備えた通信システムであって、
上記移動型情報端末は、第１の周波数信号による通信と第２の周波数信号による通信とを上記サーバとの間で行う通信手段と、ユーザの識別情報と受信した第２の周波数信号による課金演算用情報を記憶する記憶手段と、上記通信手段と上記記憶手段を制御する制御手段とを備え、上記第２の周波数信号を受信後、上記第１の周波数信号を受信したとき、記憶している上記課金演算用情報と上記識別情報とを送信する構成を備え、
上記ゲート装置は、上記第１の周波数信号を遮断し上記第２の周波数信号を発信する手段と、受信機能を備えた遮断機とを備え、
上記サーバは、上記移動型情報端末からの情報を受信する手段と、該移動型情報端末から上記第２の周波数信号による課金演算用情報と上記識別情報とを受信したとき、該識別情報に基づき、該移動型情報端末が上記ゲート装置を通過することに伴う課金処理の可否判別処理、課金演算処理、該課金演算処理結果による料金情報の上記ユーザ側への送信処理、または上記ゲート装置の上記遮断機への該移動型情報端末の通過許否情報の送信処理を行う手段とを備え、
上記移動型情報端末は、上記ゲート装置を通過するとき、上記第１の周波数信号が遮断され上記ゲート装置から発信される上記第２の周波数信号による課金演算用情報を記憶し、該第１の周波数信号の遮断が解除されたとき、上記課金演算用情報と上記識別情報とを上記サーバに送信し、該サーバは、これに基づき、課金演算処理を含む上記処理と上記ゲート装置の制御とを行う構成としたことを特徴とする通信システム。
【請求項５】
移動型情報端末を用いた課金処理方法であって、
移動型情報端末が移動することで第１の周波数信号の受信状態から第２の周波数信号の受信状態に切替わるステップと、
移動型情報端末が、上記第２の周波数信号に含まれる課金演算用情報を記憶するステップと、
移動型情報端末がさらに移動することで第２の周波数信号の受信状態から再び第１の周波数信号の受信状態に切替わるステップと、
移動型情報端末が、識別情報と上記課金演算用情報とを読み出して基地局を介しサーバ側に送信するステップと、
サーバ側において、課金処理の可否判別、課金演算、または上記課金演算用情報中で指定される機器に対する上記移動型情報端末の通過許否情報の送信を行うステップと、
を経て、課金処理を行うことを特徴とする課金処理方法。
【発明の詳細な説明】
【技術分野】
【０００１】
本発明は、移動型情報端末技術に係り、特に、課金処理を可能にするための技術に関する。
【背景技術】
【０００２】
携帯電話や無線ＬＡＮ（Ｌｏｃａｌ  Ａｒｅａ  Ｎｅｔｗｏｒｋ）、ＩＣ（Ｉｎｔｅｇｒａｔｅｄ  Ｃｉｒｃｕｉｔ）タグやＩＣカード、ＲＦＩＤ（Ｒａｄｉｏ  Ｆｒｅｑｕｅｎｃｙ  Ｉｄｅｎｔｉｆｉｃａｔｉｏｎ  Ｓｙｓｔｅｍ）などの無線通信を利用したシステムが普及してきており、それらを利用した課金システムも増加している。
本発明に関連した従来技術で特許文献に記載されたものとしては、例えば特開２００１−３４４５５１号公報（特許文献１）に記載されたものがある。該公報には、商品の購入やサービスを受けるための決済システムとして、利用者が携帯電話を用いてサービス提供者のサーバにアクセスし利用者の固有情報を送信すると、サービス提供者はサーバを介して利用者の固有情報と代金情報を電話会社に送信を行い、電話会社が利用者の固有情報を確認し、間違いがなければサービス提供者側に利用ＯＫのサインを通知し、決済後は利用者に代金を請求するとした技術が記載されている。
【０００３】
【特許文献１】特開２００１−３４４５５１号公報
【発明の開示】
【発明が解決しようとする課題】
【０００４】
上記従来技術では、利用者が、例えばアミューズメントパークや映画館などの施設への入場のサービス提供を受けようとした場合、利用者は、サービス提供者や電話会社宛に携帯電話などでアクセスする必要があり、利用者にとってはわずらわしい操作を伴う。
本発明の課題点は、上記従来技術の状況に鑑み、携帯電話など移動型情報端末を用いて施設への入場のサービス提供を受けようとする場合、わずらわしいアクセス操作を行うことなく、該サービス提供が受けられるようにすることである。
本発明の目的は、上記課題点を解決し、使い勝手性の良い移動型情報端末、サーバ及びこれらを用いた通信システムを提供することにある。
【課題を解決するための手段】
【０００５】
上記課題点を解決するために、本発明では、サーバとの間で通信を行う移動型情報端末として、第１の周波数信号による一般用の通信と第２の周波数信号による課金処理用の通信とが可能な構成とし、該第２の周波数信号をゲート装置から受信したとき、該第２の周波数信号に基づく課金演算用情報（移動型情報端末がゲート装置を通過する旨の情報）を記憶し、該記憶した課金演算用情報と該移動型情報端末のユーザの識別情報とを上記サーバ側に送信する構成とする。サーバは、これを受信して、該移動型情報端末がゲート装置を通過することに伴う課金処理の可否判別処理、課金演算処理、該課金演算処理結果による料金情報の上記ユーザ側への送信処理、または上記ゲート装置中の遮断機への該移動型情報端末の通過許否情報の送信処理などを行う構成とする。上記課金処理の可否判別の結果、課金処理が可能であれば、課金処理を行った後遮断機に対し課金処理済であることを通知する。遮断機は通知に基づき、移動型情報端末を持った利用者の進入を許可する。上記構成は、課金演算用情報によるサービスに対する利用料金の決済を、第１の周波数信号による一般の通信料金と合算して該移動型情報端末の利用契約者に請求することを可能にする。
具体的には、上記を基本的構成要件とした移動型情報端末、サーバ、通信システム及び課金処理方法を、本発明として提案する。
【発明の効果】
【０００６】
本発明によれば、課金処理と決済処理を可能にする使い勝手性の良い移動型情報端末と通信システムの提供が可能となる。
【発明を実施するための最良の形態】
【０００７】
以下、本発明の最良の実施形態につき、図面を用いて説明する。
図１〜図４は、本発明の実施形態の説明図である。図１は、本発明の実施形態としての通信システムの構成例図、図２は、図１の通信システムに用いる移動型情報端末の構成例図、図３は、図２の移動型情報端末における無線制御部の構成例図、図４は、図１の通信システムに用いるゲート装置の構成例図である。本実施形態は、施設の利用料金の回収を、携帯電話通信業者の通話料金精算システムを利用して行う場合の例である。
【０００８】
図１において、１０１は基地局、１０３は、通話やメール通信など一般の通信を行うための第１の周波数の信号（第１の周波数信号）と、施設利用のための課金・決済用の特定の第２の周波数の信号（第２の周波数信号）とにより基地局１０１と無線通信を行うことができる移動型情報端末、１０２は、ゲート装置の一部であって、上記移動型情報端末１０３に対し、上記第１の周波数信号を遮断するとともにゲート送信機（図示なし）から上記第２の周波数信号を発信する手段としてのゲート部、１０６は、基地局１０１を介し移動型情報端末１０３と通信を行うサーバ、１０７は、ゲート装置の一部であって、バーの開閉により、移動型情報端末１０３またはそれを持ったユーザの通過を許否する遮断機である。移動型情報端末１０３は、基地局１０１からの無線信号１０４により基地局１０１と通信を行うことができるとともに、ゲート部１０２内部のゲート送信機からの無線信号１０５（第２の周波数信号）により該ゲート送信機と通信を行うことができるようになっている。サーバ１０６は、基地局１０１を介し上記移動型情報端末１０３からの信号を受信する手段と、移動型情報端末１０３から上記特定の第２の周波数信号による課金演算用情報（移動型情報端末がゲート装置を通過する旨の情報）と上記移動型情報端末のユーザの識別情報とを受信したとき、該識別情報に基づき、課金処理の可否判別処理、課金演算処理、該課金演算処理の結果による料金情報の上記ユーザ側への送信処理、または遮断機１０７への上記移動型情報端末１０３の通過許否情報の送信処理を行う手段とを備えている。さらに遮断機１０７は、サーバ１０６からの無線信号１０８により基地局１０１と通信を行うことができるようになっている。
【０００９】
以下、説明において用いる本図１中の構成要素には、該図１の場合と同じ符号を付すとする。
図２は、図１の通信システムにおける移動型情報端末１０３の構成例図である。
図２において、２０１は、移動型情報端末１０３全体の制御を行う制御手段としてのメイン制御部、２０２は、移動型情報端末１０３の番号（電話番号など）やユーザの固有情報などのユーザの識別情報と、ゲート部１０２から受信した上記第２の周波数信号による課金演算用情報などを記憶する記憶手段としてのメインメモリ、２０３は、入力や処理の結果を表示する表示部、２０４は、マイクやスピーカーなどにより構成される音声インターフェース、２０５は、テンキーや機能ボタンなどを有して成る入力部、２０６は、第１の周波数信号による通信と第２の周波数信号による通信を制御する無線制御部、２０７はアンテナである。無線制御部２０６とアンテナ２０７は通信手段を構成する。メイン制御部２０１は、メインメモリ２０２、無線制御部２０６、表示部２０３、音声インターフェース２０４を制御する。無線制御部２０６は、アンテナ２０７で受信した無線信号の周波数を検知し、周波数が切替わったことを含む周波数検知結果をメイン制御部２０１に知らせる。無線制御部２０６では周波数検知結果を認識する。
【００１０】
以下、説明において用いる図２中の構成要素には、図２の場合と同じ符号を付すとする。
図３は、図２の移動型情報端末における通信手段としての無線制御部２０６の構成例図である。
図３において、３０１は受信部、３０２は送信部、３０３は、無線信号を送信信号と受信信号に分解する送信／受信信号デュプレクサーＡ、３０４は、無線信号を周波数で分解することができる周波数デュプレクサー、３０５は、無線信号を送信信号と受信信号に分解する送信／受信信号デュプレクサーＢ、３０６は、受信信号の周波数を検知する受信周波数検知部、３０７は、受信周波数検知部３０６によって識別された受信信号の経路を切替える受信信号切替えスイッチである。受信部３０１は、該受信周波数検知部３０６と該受信信号切替えスイッチ３０７を有して構成され、受信信号の周波数が切替わるとそれに対応して受信信号の経路を切替える。すなわち、受信信号が、第１の周波数信号から第２の周波数信号に、または、第２の周波数信号から第１の周波数信号に切替わると、受信信号の経路を切替える。受信周波数検知部３０６は、受信信号の周波数の切替わりを検知すると、検知信号をメイン制御部２０１に送る。これによって、移動型情報端末１０３は受信信号が切替わったことを検知する。
【００１１】
図４は、図１の通信システムに用いるゲート装置のゲート部１０２の構成例図である。
図４において、４０１は、ゲート部１０２内にあって第２の周波数情報を発信するゲート送信機、４０２は、移動型情報端末１０３が基地局１０１と第１の周波数信号により一般の通信を行う第１の通信区間、４０３は、移動型情報端末１０３がゲート送信機４０１からの第２の周波数信号を受信してこれに対応した動作を行う第２の通信区間、４０４は、移動型情報端末１０３が再び基地局１０１と第１の周波数信号により一般の通信を行える状態となる第３の通信区間である。第１の通信区間４０２と第２の通信区間４０３との境界では、移動型情報端末１０３の無線制御部２０６は、受信信号を、基地局１０１からの第１の周波数信号から、ゲート送信機４０１からの第２の周波数信号に切替える。第２の通信区間内では、基地局１０１からの第１の周波数信号は電波シールドなどによって遮断され、ゲート送信機４０１からの第２の周波数信号だけが受信されるようになっている。第２の通信区間４０３と第３の通信区間４０４との境界では、移動型情報端末１０３の無線制御部２０６は、受信信号を第２の周波数信号から再び第１の周波数信号に切替える。
【００１２】
上記のように、本実施形態の通信システムでは、移動型情報端末１０３を所持した利用者がゲート部１０２に入ると、該移動型情報端末１０３は、それまで受信していた基地局１０１からの無線信号１０４（第１の周波数信号）が、該ゲート部１０２により遮断され、基地局１０１からの無線信号１０４（第１の周波数信号）を受信することができなくなり、その代わりにゲート送信機４０１からの無線信号１０５（第２の周波数信号）を受信する。ゲート送信機４０１からの無線信号１０５には、課金演算用のゲート情報（課金演算用情報）としてサービス提供者名、施設名称、料金、入場日時等が含まれ、情報端末１０３のメインメモリ２０２に記憶される。その際、移動型情報端末１０３は、受信周波数検知部３０６により、受信している無線信号が切替わることを認識したら、ゲート部１０２を通過するという情報（課金演算用情報）をメインメモリ２０２へ格納し、基地局１０１へ送信する準備をメイン制御部２０１で行う。
【００１３】
次に、移動型情報端末１０３は、ゲート部１０２を通過し外に出ると、ゲート送信機４０１から送信されている無線信号１０５（第２の周波数信号）を受信することができなくなり、再び、基地局１０１が送信している無線信号１０４（第１の周波数情報）を受信して、基地局１０１と通信を再開し、メインメモリ２０２に格納されているゲート部１０２を通過するという情報（課金演算用情報）を、ゲート情報（課金演算用情報）、ユーザの識別情報とともに、情報端末１０３が基地局１０１へ送信する。基地局１０１は、移動型情報端末１０３から、ゲート１０２を通過したという情報を受信したとき、サーバ１０６と通信し、受信した識別情報に含まれた自局携帯電話番号などにより、その移動型情報端末１０３が課金可能か否かの判別を行い、課金可能であればゲート情報に基づく施設の利用料金を既存の料金精算サーバ１０６で課金演算処理を開始する。サーバ１０６により課金演算処理が行われると、サーバ１０６は、基地局１０１を経由して移動型情報端末１０３またはユーザの通過を許可する信号を遮断機１０７に送信し、遮断機１０７はバーを開いて、移動型情報端末１０３またはユーザの通過を許可する。課金演算処理が開始できなければ、遮断機１０７はそのままで、通過を拒否する。
サーバ１０６は、施設の利用料金を、移動型情報端末１０３の通話やメール通信などの一般の通信料金に合算して、契約者に請求し、料金を回収する。通信業者は、ゲート情報に含まれた施設の利用料金を、サービス提供業者に支払う。
【００１４】
移動型情報端末１０３は、ゲート部１０２に入って受信信号の周波数が切替わるとき、表示部２０３に「ゲートを通過します。課金が開始されます。」などと表示したり、音声インターフェース２０４から、警告音や音声ガイダンスを流したりすることにより、該移動型情報端末１０３の所有者に課金処理が開始されることを知らせることもできる。このとき、移動型情報端末１０３を持っていない場合や、課金処理のできない移動型情報端末１０３を持っていた場合や、移動型情報端末１０３の電源が入っていない場合などには、サーバ１０６は、遮断機１０７を開ける指示を出さないため、該移動型情報端末１０３の所有者は遮断機１０７を通過することができない。これにより、不正入場などを防ぐことができる。さらに、サービス提供業者はゲート情報としてサービスに関する情報、例えばアミューズメントパークであればアトラクションの込み具合や映画館であれば次に上映予定の映画の情報などを、ゲート部１０２内のゲート送信機４０１から送信することにより、利用者に有益な情報を供給することができる。
【００１５】
上記本発明の実施形態によれば、例えば娯楽施設などへの入場のサービスの提供を受けようとする場合、利用者は移動型情報端末１０３とともにゲート装置を通過するだけで利用料金の精算を済ませることができ、わずらわしいアクセス操作を行うことなく、また、現金やカードを準備したり、入場券を購入するために行列に並んだりする必要もなくなる。また、サービス提供業者もゲート部１０２と遮断機１０７と通信設備により自動的に利用料金の回収を行うことができる。
【図面の簡単な説明】
【００１６】
【図１】本発明の実施例としての通信システムの構成例図である。
【図２】図１の通信システムに用いる移動型情報端末の構成例図である。
【図３】図２の移動型情報端末における無線制御部の構成例図である。
【図４】図１の通信システムに用いるゲート装置の構成例図である。
【符号の説明】
【００１７】
１０１…基地局、
１０２…ゲート部、
１０３…移動型情報端末、
１０６…サーバ、
１０７…遮断機、
２０１…メイン制御部、
２０２…メインメモリ、
２０３…表示部、
２０４…音声インターフェース、
２０５…入力部、
２０６…無線制御部、
２０７…アンテナ、
３０１…受信部、
３０２…送信部、
３０３…送信／受信信号デュプレクサーＡ、
３０４…周波数デュプレクサー、
３０５…送信／受信信号デュプレクサーＢ、
３０６…受信周波数検知部、
３０７…受信信号切替えスイッチ、
４０１…ゲート送信機。
【図１】
2005301815.tif 000003
【図２】
2005301815.tif 000004
【図３】
2005301815.tif 000005
【図４】
2005301815.tif 000006